(57)【要約】【課題】  換気用ダクトから室内に吹出される空気を簡易かつ確実に加温すること。【解決手段】  換気用ダクト５０であって、管状のダクト本体５１に電熱線５２を内蔵し、電熱線５２の発熱によりダクト本体５１の管路５１Ａ内に送風される空気を加温可能にするもの。【選択図】  図２
2009287906.tif 000002
【特許請求の範囲】
【請求項１】
管状のダクト本体に電熱線を内蔵し、電熱線の発熱によりダクト本体の管路内に送風される空気を加温可能にする換気用ダクト。
【請求項２】
前記電熱線がダクト本体の補強リブとして内蔵される請求項１に記載の換気用ダクト。
【請求項３】
前記補強リブがダクト本体の外周側に凸条形成されている請求項２に記載の換気用ダクト。
【請求項４】
前記ダクト本体の補強リブが螺旋状をなし、前記電熱線が螺旋状の補強リブに内蔵される螺旋状をなして連続する請求項２又は３に記載の換気用ダクト。
【請求項５】
前記ダクト本体の外周に断熱材の被覆層を付加する請求項１〜４のいずれかに記載の換気用ダクト。
【発明の詳細な説明】
【技術分野】
【０００１】
本発明は換気用ダクトに関する。
【背景技術】
【０００２】
建物の換気システムでは、特許文献１に記載の如く、外気を室内へ導く給気ダクトを小屋裏や床下から室内へと延在している。外部換気口から給気ダクトに取り入れた外気は、必要によって給気ダクトの中間に設けた熱交換器等で加温された後、室内に吹出される。
【特許文献１】特開平7-260224
【発明の開示】
【発明が解決しようとする課題】
【０００３】
しかしながら、従来技術では、給気ダクトが建物の断熱領域外となる小屋裏や床下に設置されているとき、冬場の0度等の気温の外気は、それを熱交換器で加温しても、10度程度の気温の小屋裏等と20度程度の気温の室内との温度差は大きく、給気ダクトを送風される間に温度低下する。こうして室内に吹出される空気は居住者に冷たい不快感を与え易い。
【０００４】
本発明の課題は、換気用ダクトから室内に吹出される空気を簡易かつ確実に加温することにある。
【課題を解決するための手段】
【０００５】
請求項１の発明は、管状のダクト本体に電熱線を内蔵し、電熱線の発熱によりダクト本体の管路内に送風される空気を加温可能にする換気用ダクトである。
【０００６】
請求項２の発明は、請求項１の発明において更に、前記電熱線がダクト本体の補強リブとして内蔵されるようにしたものである。
【０００７】
請求項３の発明は、請求項２の発明において更に、前記補強リブがダクト本体の外周側に凸条形成されているようにしたものである。
【０００８】
請求項４発明は、請求項２又は３の発明において更に、前記ダクト本体の補強リブが螺旋状をなし、前記電熱線が螺旋状の補強リブに内蔵される螺旋状をなして連続するようにしたものである。
【０００９】
請求項５の発明は、請求項１〜４のいずれかに発明において更に、前記ダクト本体の外周に断熱材の被覆層を付加するようにしたものである。
【発明の効果】
【００１０】
（請求項１）
(a)換気用ダクトに取り入れられて送風される外気は、ダクト本体に内蔵された電熱線により加温されて室内に吹出される。従って、換気用ダクトが建物の断熱領域外となる小屋裏や床下に設置されているときにも、外気は換気用ダクトを送風される間に温度低下することなく、換気用ダクトそのものにより簡易且つ確実に加温されて室内に吹出される。
【００１１】
(b)電熱線がダクト本体に内蔵され、ダクト本体を形状保持する補強筋としても機能する。
【００１２】
（請求項２、３）
(c)電熱線がダクト本体の外周側に凸条形成等される補強リブに内蔵されることにより、従来の補強リブを外周に備える換気用ダクトのダクトスペース（内外径）のまま、電熱線を内蔵できる。建物のスペース的に限界がある壁内への設置性等を向上できる。
【００１３】
(d)電熱線はダクト本体の外周側に凸条形成される補強リブに内蔵されるものであり、ダクト本体の管路内における空気流の圧力損失を生じない。
【００１４】
（請求項４）
(e)上述(c)のダクト本体の補強リブが螺旋状をなし、電熱線が螺旋状の補強リブに内蔵される螺旋状をなして連続することにより、換気用ダクトの長手方向に伸縮性を備えることもできる。
【００１５】
（請求項５）
(f)ダクト本体の外周に断熱材の被覆層を付加することにより、換気用ダクトにより加温されて送風される空気を外界に対して断熱もすることにより、換気用ダクトから室内に吹出される空気の加温性を一層向上できる。
【発明を実施するための最良の形態】
【００１６】
図１は建物の換気システムを示す断面図、図２は換気用ダクトの一例を示す模式図、図３は換気用ダクトの他の例を示す模式図である。
【実施例】
【００１７】
図１に示した建物１０は、基礎１１の上に建物躯体１２を立設し、２階の居室１３Ａ、１３Ｂ、ホール１３Ｃ、１階の洗面室１３Ｄ、リビング１３Ｅ、ホール１３Ｆ等を有している。
【００１８】
建物１０の外部に開口させた外部換気口４１に接続された給気ダクト２１は、建物躯体１２の壁１２Ａ、天井部１２Ｂ、小屋裏１４、ダクトスペース１５等に延在され、この給気ダクト２１を居室１３Ａ等に設けた給気グリル２１Ａに接続している（２１Ｂは分岐チャンバ）。給気ダクト２１の中間部には、フィルタ装置２２、熱交換器４２、除湿ユニット２３が介装されている。熱交換器４２及び除湿ユニット２３は小屋裏１４に設置され、除湿ユニット２３に接続される冷媒管及びドレン管２４は建物躯体１２の天井部１２Ｂ、ダクトスペース１５、床部１２Ｃ等を通って室外機２５に接続されている。
【００１９】
ホール１３Ｃ、洗面室１３Ｄに設けてある排気グリル３１Ａに接続された排気ダクト３１は、建物躯体１２の天井部１２Ｂ、ダクトスペース１５、小屋裏１４等に延在され、この排気ダクト３１を外部換気口４１に接続している（３１Ｂは分岐チャンバ）。排気ダクト３１の中間部には、熱交換器４２が介装されている。
【００２０】
尚、建物１０は、小屋裏１４に熱交換器４２、除湿ユニット２３を収容するための断熱室１６Ａを区画する断熱箱１６を設けてある。そして、居室１３Ａ等及び断熱室１６Ａを外界に対して遮蔽して囲む壁１２Ａ及び断熱箱１６を、断熱材が連続する断熱ライン１７（図１の斜線部）としている。
【００２１】
しかるに、建物１０内に延在される給気ダクト２１のうち、除湿ユニット２３から小屋裏１４内を２階居室１３Ａ、１３Ｂ、ホール１３Ｃに向けて延在される給気ダクト２１と、除湿ユニット２３からダクトスペース１５内を１階洗面室１３Ｄ、リビング１３Ｅ、ホール１３Ｆに向けて延在される給気ダクト２１を、本発明の換気用ダクト５０により構成している。
【００２２】
換気用ダクト５０は、図２に示す如く、円管状の合成樹脂性ダクト本体５１の肉厚内に電熱線５２を内蔵し、電熱線５２の発熱によりダクト本体５１の管路５１Ａ内に送風される空気を加温可能にする。電熱線５２の始端と終端に電源を接続する。
【００２３】
換気用ダクト５０は、ダクト本体５１の外周側に凸条形成される補強リブ５１Ｂを有し、この補強リブ５１Ｂに電熱線５２を内蔵する。本実施例では、補強リブ５１Ｂを螺旋状にし、電熱線５２は螺旋状補強リブ５１Ｂに内蔵される螺旋状をなして連続するものとされる。
【００２４】
本実施例によれば以下の作用効果を奏する。
(a)給気ダクト２１が本発明の換気用ダクト５０からなるものとされた。従って、給気ダクト２１に取り入れられて送風される外気は、ダクト本体５１に内蔵された電熱線５２により加温されて室内に吹出される。従って、給気ダクト２１が建物１０の断熱領域外となる小屋裏１４に設置されているときにも、外気は給気ダクト２１を送風される間に温度低下することなく、給気ダクト２１そのものにより簡易且つ確実に加温されて室内に吹出される。
【００２５】
尚、換気用ダクト５０を用いたことによる上述の効果は、建物１０の断熱ライン１７外に設置された給気ダクト２１において顕著になる。
【００２６】
(b)電熱線５２がダクト本体５１に内蔵され、ダクト本体５１を形状保持する補強筋としても機能する。
【００２７】
(c)電熱線５２がダクト本体５１の外周側に凸状形成等される補強リブ５１Ｂに内蔵されることにより、従来の補強リブ５１Ｂを外周に備える給気ダクト２１のダクトスペース（内外径）のまま、電熱線５２を内蔵できる。建物のスペース的に限界がある壁内への設置性等を向上できる。
【００２８】
(d)電熱線５２はダクト本体５１の外周側に凸状形成される補強リブ５１Ｂに内蔵されるものであり、ダクト本体５１の管路内における空気流の圧力損失を生じない。
【００２９】
(e)上述(c)のダクト本体５１の補強リブ５１Ｂが螺旋状をなし、電熱線５２が螺旋状の補強リブ５１Ｂに内蔵される螺旋状をなして連続することにより、給気ダクト２１の長手方向に伸縮性を備えることもできる。
【００３０】
図３は、前述の換気用ダクト５０の外周に、断熱材の被覆層６０を巻き付けて付加したものである。この被覆層６０を付加した換気用ダクト５０を前述の給気ダクト２１に適用することにより、給気ダクト２１の電熱線５２により加温されて送風される空気を被覆層６０によって外界に対して断熱し、給気ダクト２１から室内に吹出される空気の加温性を一層向上できる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３２】
【図１】図１は建物の換気システムを示す断面図である。
【図２】図２は換気用ダクトの一例を示す模式図である。
【図３】図３は換気用ダクトの他の例を示す模式図である。
【符号の説明】
【００３３】
５０  換気用ダクト
５１  ダクト本体
５１Ａ  管路
５１Ｂ  補強リブ
５２  電熱線
６０  被覆層
【図１】
2009287906.tif 000003
【図２】
2009287906.tif 000004
【図３】
2009287906.tif 000005